(57)【要約】      （修正有）【課題】内蔵記録装置内における占有容量を低減する場合に、ユーザーが見たいと推定されるコンテンツには再生の手段を残しておくことができる装置を提供する。【解決手段】タイトル２は、録画コンテンツに連続性・関連性のある場合の表示例を示す図である。この放送回の録画コンテンツと連続性・関連性がある録画コンテンツが保存されていると特定された場合に、この前話・次話と判定された録画コンテンツ再生に対応するメニューから表示される。操作メニュー表示９８には、このタイトル２の前話・次話を再生するか否かの操作を促すメニューが表示される。前話再生９８ａ、次話再生９８ｂを選択することができる。また、毎週放送される番組があれば、前週放送分が前話、次週放送分が次話に相当する。但し、前々話や次々話の録画コンテンツが保存されていても、コンテンツの連続性を考慮して、メニュー表示していない。【選択図】図８
2011082777.tif 000002
【特許請求の範囲】
【請求項１】
コンテンツの録画再生を行うコンテンツ録画再生装置であって、
録画コンテンツを格納するコンテンツ記録部と、
コンテンツ同士の関連性を判定するコンテンツ関連性判定部と、
コンテンツの消去の操作の指示を受け付ける操作受付部と、
録画されたコンテンツのリスト表示処理を行う録画コンテンツリスト表示処理部と、
録画された番組の記録と消去の処理を行うデータ記録／消去処理部と、を有し、
前記操作受付部において録画コンテンツの消去操作が行われた場合に、前記録画コンテンツリスト表示処理部は、消去された録画コンテンツのタイトルリストとしては表示されないようにし、
前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行うことを特徴とするコンテンツ録画再生装置。
【請求項２】
前記消去された録画コンテンツと関連する録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えたことを特徴とする請求項１に記載のコンテンツ録画再生装置。
【請求項３】
コンテンツの録画再生を行うコンテンツ録画再生装置であって、
録画コンテンツを格納するコンテンツ記録部と、
コンテンツ同士の関連性を判定するコンテンツ関連性判定部と、
コンテンツの消去の操作の指示を受け付ける操作受付部と、
録画されたコンテンツのリスト表示処理を行う録画コンテンツリスト表示処理部と、
録画された番組の記録と消去の処理を行うデータ記録／消去処理部と、を有し、
前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行い、
前記データ記録／消去処理部により消去された録画コンテンツと前記コンテンツ関連性判定部により関連するとされた録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えたことを特徴とするコンテンツ録画再生装置。
【請求項４】
前記操作受付部において録画コンテンツの消去操作が行われた場合に、前記録画コンテンツリスト表示処理部は、消去された録画コンテンツのタイトルリストとしては表示されないようにすることを特徴とする請求項３に記載のコンテンツ録画再生装置。
【請求項５】
コンテンツの録画再生を行うコンテンツ録画再生装置であって、
録画コンテンツを格納するコンテンツ記録部と、
コンテンツ同士の関連性を判定するコンテンツ関連性判定部と、
コンテンツの消去の操作の指示を受け付ける操作受付部と、
録画されたコンテンツのリスト表示処理を行う録画コンテンツリスト表示処理部と、
録画された番組の記録と消去の処理を行うデータ記録／消去処理部と、を有し、
前記操作受付部において録画コンテンツの消去操作が行われた場合に、前記録画コンテンツリスト表示処理部は、消去された録画コンテンツのタイトルリストとしては表示されないようにし、
前記データ記録／消去処理部により消去された録画コンテンツと前記コンテンツ関連性判定部により関連するとされた録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えたことを特徴とするコンテンツ録画再生装置。
【請求項６】
前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行うことを特徴とする請求項５に記載のコンテンツ録画再生装置。
【請求項７】
前記コンテンツ記録部の記憶容量を監視する記憶容量監視部を備え、
前記記憶容量監視部による記憶容量の残容量も考慮して、残容量が多ければ保存期間を長めにし、残容量が少なくなると保存期間を短めにするなどの制御を行うことを特徴とする請求項１から６までのいずれか１項に記載のコンテンツ録画再生装置。
【請求項８】
前記コンテンツ関連性判定部は、予約録画が同じ時間帯で同じチャネルの番組を毎週録画予約する毎週予約や毎日予約する毎日予約である場合に、関連性のあるコンテンツと判定することを特徴とする請求項１から７までのいずれか１項に記載のコンテンツ録画再生装置。
【請求項９】
前記コンテンツ関連性判定部は、さらに、コンテンツのタイトル情報に基づいて、タイトルの一致度が高いコンテンツを関連性の高いコンテンツと推定することを特徴とする請求項１から８までのいずれか１項に記載のコンテンツ録画再生装置。
【請求項１０】
前記コンテンツ関連性判定部は、前記録画コンテンツがダイレクト録画による場合には前記タイトル情報に基づく判定を優先させることを特徴とする請求項９に記載のコンテンツ録画再生装置。
【請求項１１】
前記コンテンツ関連性判定部は、関連性の判定後に、録画コンテンツと連続性や関連性をもつ可能性がある番組コンテンツが録画された場合には、連続番組や帯番組であるかどうかの再判定処理を行うことを特徴とする請求項８から１０までのいずれか１項に記載のコンテンツ録画再生装置。
【請求項１２】
前記関連コンテンツ再生インターフェース表示制御部は、消去処理された放送回の前後の放送回の録画コンテンツの再生メニューに、消去処理された放送回が再生可能である旨を表示する制御を行うことを特徴とする請求項２から１１までのいずれか１項に記載のコンテンツ録画再生装置。
【請求項１３】
前記関連コンテンツ再生インターフェース表示制御部は、消去された録画コンテンツと関連性のある録画コンテンツの前話又は次話のうち少なくともいずれか一方を再生するためのインターフェースを表示する制御を行うことを特徴とする請求項２から１１までのいずれか１項に記載のコンテンツ録画再生装置。
【請求項１４】
前記関連コンテンツ再生インターフェース表示制御部は、消去された録画コンテンツと関連性のある録画コンテンツの再生中に、消去処理された放送回が再生可能である旨の表示する制御を行うことを特徴とする請求項２から１１までのいずれか１項に記載のコンテンツ録画再生装置。
【請求項１５】
前記データ記録／消去処理部は、消去操作された放送回の録画コンテンツの録画日時からの経過時間を基に、当該録画コンテンツを消去するか否か判定することを特徴とする請求項１から１４までのいずれか１項に記載のコンテンツ録画再生装置。
【請求項１６】
前記データ記録／消去処理部は、消去操作された放送回の録画コンテンツの実際の録画日時および放送日時からの経過時間を基に、消去するかどうか判定することを特徴とする請求項１から１４までのいずれか１項に記載のコンテンツ録画再生装置。
【請求項１７】
前記データ記録／消去処理部は、関連性のある番組の一部が再放送から録画された場合、本来録画されたと思われる放送日時を推定して、この推定された放送日時を本来の録画日時と仮設定した上で、仮設定された録画日時情報と現在の日時を比較し、規定時間以上経過していれば、該当の放送回の録画コンテンツに対応する録画データを実際に消去することを特徴とする請求項１から１４までのいずれか１項に記載のコンテンツ録画再生装置。
【請求項１８】
前記データ記録／消去処理部は、関連性のある番組が放送形態の異なる方法により録画された場合に、録画されたと推定される録画日時からの経過時間を基に、実際に録画データの消去を行うかどうかの判定を行うことを特徴とする請求項１から１４までのいずれか１項に記載のコンテンツ録画再生装置。
【請求項１９】
前記データ記録／消去処理部は、消去操作された放送回の録画コンテンツの最終視聴日時からの経過時間を基に、消去するか否かの判定を行うことを特徴とする請求項１から１４までのいずれか１項に記載のコンテンツ録画再生装置。
【請求項２０】
前記データ記録／消去処理部は、消去操作された放送回の録画コンテンツの視聴回数を基に、消去するか否かの判定を行うことを特徴とする請求項１から１４までのいずれか１項に記載のコンテンツ録画再生装置。
【請求項２１】
前記データ記録／消去処理部は、消去操作された放送回の録画コンテンツの前後の放送回の視聴回数を基に、消去するかどうか判定を行うことを特徴とする請求項１から１４までのいずれか１項に記載のコンテンツ録画再生装置。
【請求項２２】
前記データ記録／消去処理部は、録画コンテンツのジャンルが、放送回毎の番組内容に連続性や関連性が高いものあるか否かに基づいて、消去するかどうか判定を行うことを特徴とする請求項１から１４までのいずれか１項に記載のコンテンツ録画再生装置。
【請求項２３】
前記データ記録／消去処理部は、記憶容量を監視する記憶容量監視部による記憶容量の残容量も考慮して、残容量が多ければ保存期間を長めにし、残容量が少なくなると保存期間を短めにするなどの制御を行うことを特徴とする請求項１から１４までのいずれか１項に記載のコンテンツ録画再生装置。
【請求項２４】
コンテンツの録画再生を行うコンテンツ録画再生装置におけるコンテンツ再生方法であって、
録画コンテンツを格納するコンテンツ記録ステップと、コンテンツ同士の関連性を判定するコンテンツ関連性判定ステップと、コンテンツの消去の操作の指示を受け付ける操作受付ステップと、録画されたコンテンツのリスト表示処理を行う録画コンテンツリスト表示処理ステップと、録画された番組の記録と消去の処理を行うデータ記録／消去処理ステップと、を有し、
前記操作受付ステップにおいて録画コンテンツの消去操作が行われた場合に、前記録画コンテンツリスト表示処理ステップにおいては、消去された録画コンテンツのタイトルリストとしては表示されないようにし、前記データ記録／消去処理ステップは、前記コンテンツ関連性判定ステップにおいて、前記コンテンツ記録ステップにより格納される録画コンテンツと前記消去された録画コンテンツとの関連性があると判定した場合には、録画された実体データを少なくともある期間だけは保存しておく処理を行うことを特徴とするコンテンツ再生方法。
【請求項２５】
前記消去された録画コンテンツと関連する録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御ステップを備えたことを特徴とする請求項２４に記載のコンテンツ再生方法。
【請求項２６】
コンピュータに請求項２４又は２５に記載のコンテンツ再生方法を実行させるためのプログラム。
【発明の詳細な説明】
【技術分野】
【０００１】
本発明は、録画再生技術に関し、特に、録画再生装置におけるコンテンツの保存及び消去とコンテンツリストの表示技術に関する。
【背景技術】
【０００２】
デジタル放送におけるチャネルの多数化や方法番組コンテンツ、ＶＯＤコンテンツなどの多様化に伴って、コンテンツを記録し再生する録画再生装置におけるハードディスクなどの内蔵記録装置における記憶容量は大きくなってきているが、コスト面からそれほど大容量にするには制約がある。
また、内蔵記録装置に多くのコンテンツを記録することができるようになると、そのうちのいずれのコンテンツを再生等するかを選択するユーザーインターフェースが複雑になりつつある。
【０００３】
下記特許文献１に記載の技術では、記録再生装置において、予約録画データ入力手段に、更新間隔を入力する手段を設けている。そして、予約録画実行時に、録画した番組に対して予約ＩＤおよび次回更新日からなる自動更新対象管理データを更新する。次回の録画実行時には、上記自動更新対象管理データを参照し、自動更新対象番組が記録媒体に存在し、かつ、現在日時が次回更新日に達していることを判断すると、更新対象番組を自動消去し、今回の予約番組を録画する。一方、自動更新対象番組は存在するが、現在日時が更新日に達していない場合は、更新対象を消去せず、今回の予約番組を録画するものである。
【０００４】
また、下記特許文献２に記載の録画再生装置では、消去不可期間を録画後の日数、時間数、若しくは日時指定、又は毎日或いは毎週定時に放送される連続番組では以後の同番組の録画回数で設定可能な予約録画設定手段と、消去不可期間が過ぎた場合には当該録画済み番組の消去可否設定を消去可に設定変更する消去不可期間管理手段と、記録媒体の空き領域を管理する空き領域管理手段と、記録媒体の空き領域と予約録画に必要な領域とから消去可の録画済み番組の中から消去対象番組を選択する消去対象番組選択手段と、空き領域が不足している場合には前記消去対象番組を消去し空き領域を確保する記録制御手段とを備えた番組録画再生装置とすることが提案されている。
【先行技術文献】
【特許文献】
【０００５】
【特許文献１】特開２００４−１８００６１号公報
【特許文献２】特開２００７−２３５９０４号公報
【発明の概要】
【発明が解決しようとする課題】
【０００６】
しかしながら、上記特許文献１に記載の技術では、前回の録画実行により録画した番組を設定更新日に達した場合に、自動消去する方法に関する提案であるため、消去した番組を消去処理後に見る方法について提案されていない。すなわち、一旦消去してしまうと、その番組を見ることができない。
【０００７】
また、上記特許文献２に記載の技術では、設定された消去不可期間（日数や放送回数）を過ぎた番組を自動消去する方法に関する提案であるため、消去した番組を消去処理後に再生する方法について提案されていない。
【０００８】
本発明は、内蔵記録装置内における占有容量を低減する場合に、ユーザーが見たいと推定されるコンテンツには再生の手段を残しておくことができる装置を提供することを目的とする。
【課題を解決するための手段】
【０００９】
本発明は、関連性のない番組は消去し、ユーザーにとって必要と推測される番組は残すとともに、関連付けされたメニューからのみ再生処理が可能とすることを特徴とする。録画再生装置において、ＴＶ放送の連続番組や帯番組が、毎週予約や毎日予約の予約録画設定などによる方法で放送回毎に各順次録画されており、ユーザーが予約録画された連続番組コンテンツを視聴した後に適時消去しているような使用方法が行われている場合に、ユーザー操作により連続番組のある放送回の録画コンテンツが消去されても、録画タイトルリストとしては表示されないようにするが、録画された実体データはすぐには消去しないで一定期間保存しておく。上記消去操作された放送回の録画コンテンツは、その次回放送コンテンツの再生メニューからは、再生可能な前回放送コンテンツとして表示させ、ユーザーにより前回放送コンテンツとして再生選択された場合には再生できるようにする。
【００１０】
本発明の一観点によれば、コンテンツの録画再生を行うコンテンツ録画再生装置であって、録画コンテンツを格納するコンテンツ記録部と、コンテンツ同士の関連性を判定するコンテンツ関連性判定部と、コンテンツの消去の操作の指示を受け付ける操作受付部と、録画されたコンテンツのリスト表示処理を行う録画コンテンツリスト表示処理部と、録画された番組の記録と消去の処理を行うデータ記録／消去処理部と、を有し、前記操作受付部において録画コンテンツの消去操作が行われた場合に、前記録画コンテンツリスト表示処理部は、消去された録画コンテンツのタイトルリストとしては表示されないようにし、前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行うことを特徴とするコンテンツ録画再生装置が提供される。
【００１１】
録画再生装置において、ＴＶ放送の関連性（連続番組や帯番組）が、（毎週予約や毎日予約の予約録画設定などによる方法で放送回毎に各順次録画されており、）ユーザーが予約録画された連続番組コンテンツを視聴した後に適時消去しているような使用方法が行われている場合に、ユーザー操作により連続番組のある放送回の録画コンテンツが消去されても、録画タイトルリストとしては表示されないようにするが、録画された実体データはすぐには消去しないで一定期間保存しておく。
【００１２】
前記消去された録画コンテンツと関連する録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えることが好ましい。
【００１３】
上記消去操作された放送回の録画コンテンツは、その次回放送コンテンツの再生メニューからは、再生可能な前回放送コンテンツとして表示させ、ユーザーにより前回放送コンテンツとして再生選択された場合には再生できるようにする。
【００１４】
また、コンテンツの録画再生を行うコンテンツ録画再生装置であって、録画コンテンツを格納するコンテンツ記録部と、コンテンツ同士の関連性を判定するコンテンツ関連性判定部と、コンテンツの消去の操作の指示を受け付ける操作受付部と、録画されたコンテンツのリスト表示処理を行う録画コンテンツリスト表示処理部と、録画された番組の記録と消去の処理を行うデータ記録／消去処理部と、を有し、前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行い、前記データ記録／消去処理部により消去された録画コンテンツと前記コンテンツ関連性判定部により関連するとされた録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えたことを特徴とするコンテンツ録画再生装置が提供される。前記操作受付部において録画コンテンツの消去操作が行われた場合に、前記録画コンテンツリスト表示処理部は、消去された録画コンテンツのタイトルリストとしては表示されないようにすることが好ましい。
【００１５】
また、コンテンツの録画再生を行うコンテンツ録画再生装置であって、録画コンテンツを格納するコンテンツ記録部と、コンテンツ同士の関連性を判定するコンテンツ関連性判定部と、コンテンツの消去の操作の指示を受け付ける操作受付部と、録画されたコンテンツのリスト表示処理を行う録画コンテンツリスト表示処理部と、録画された番組の記録と消去の処理を行うデータ記録／消去処理部と、を有し、前記操作受付部において録画コンテンツの消去操作が行われた場合に、前記録画コンテンツリスト表示処理部は、消去された録画コンテンツのタイトルリストとしては表示されないようにし、前記データ記録／消去処理部により消去された録画コンテンツと前記コンテンツ関連性判定部により関連するとされた録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御部を備えたことを特徴とするコンテンツ録画再生装置が提供される。前記データ記録／消去処理部は、前記コンテンツ関連性判定部が前記コンテンツ記録部に格納されている録画コンテンツと前記消去された録画コンテンツとの関連性があると判定した場合には、録画された実体データを少なくともある期間だけは保存しておく処理を行うことが好ましい。
【００１６】
前記コンテンツ記録部の記憶容量を監視する記憶容量監視部を備え、前記記憶容量監視部による記憶容量の残容量も考慮して、残容量が多ければ保存期間を長めにし、残容量が少なくなると保存期間を短めにするなどの制御を行うことが好ましい。前記コンテンツ関連性判定部は、予約録画が同じ時間帯で同じチャネルの番組を毎週録画予約する毎週予約や毎日予約する毎日予約である場合に、関連性のあるコンテンツと判定することが好ましい。また、前記コンテンツ関連性判定部は、さらに、コンテンツのタイトル情報に基づいて、タイトルの一致度が高いコンテンツを関連性の高いコンテンツと推定することが好ましい。
【００１７】
前記コンテンツ関連性判定部は、前記録画コンテンツがダイレクト録画による場合には前記タイトル情報に基づく判定を優先させることが好ましい。前記コンテンツ関連性判定部は、関連性の判定後に、録画コンテンツと連続性や関連性をもつ可能性がある番組コンテンツが録画された場合には、連続番組や帯番組であるかどうかの再判定処理を行うことが好ましい。前記関連コンテンツ再生インターフェース表示制御部は、消去処理された放送回の前後の放送回の録画コンテンツの再生メニューに、消去処理された放送回が再生可能である旨を表示する制御を行うようにしても良い。前記関連コンテンツ再生インターフェース表示制御部は、消去された録画コンテンツと関連性のある録画コンテンツの前話又は次話のうち少なくともいずれか一方を再生するためのインターフェースを表示する制御を行うようにしても良い。前記関連コンテンツ再生インターフェース表示制御部は、消去された録画コンテンツと関連性のある録画コンテンツの再生中に、消去処理された放送回が再生可能である旨の表示する制御を行うことが好ましい。
【００１８】
前記データ記録／消去処理部は、消去操作された放送回の録画コンテンツの録画日時からの経過時間を基に、当該録画コンテンツを消去するか否か判定することが好ましい。前記データ記録／消去処理部は、消去操作された放送回の録画コンテンツの実際の録画日時および放送日時からの経過時間を基に、消去するかどうか判定することが好ましい。前記データ記録／消去処理部は、関連性のある番組の一部が再放送から録画された場合、本来録画されたと思われる放送日時を推定して、この推定された放送日時を本来の録画日時と仮設定した上で、仮設定された録画日時情報と現在の日時を比較し、規定時間以上経過していれば、該当の放送回の録画コンテンツに対応する録画データを実際に消去するようにすると良い。前記データ記録／消去処理部は、関連性のある番組が放送形態の異なる方法により録画された場合に、録画されたと推定される録画日時からの経過時間を基に、実際に録画データの消去を行うかどうかの判定を行うようにしても良い。連続番組や帯番組などの一連の録画コンテンツとして録画日時が古いコンテンツはユーザーが再視聴を希望する可能性は比較的低いとも推定して、再視聴の可能性が低くなった録画コンテンツを消去する。
【００１９】
前記データ記録／消去処理部は、消去操作された放送回の録画コンテンツの最終視聴日時からの経過時間を基に、消去するか否かの判定を行うようにしても良い。前記データ記録／消去処理部は、消去操作された放送回の録画コンテンツの視聴回数を基に、消去するか否かの判定を行うようにしても良い。また、前記データ記録／消去処理部は、消去操作された放送回の録画コンテンツの前後の放送回の視聴回数を基に、消去するかどうか判定を行うようにしても良い。また、前記データ記録／消去処理部は、録画コンテンツのジャンルが、放送回毎の番組内容に連続性や関連性が高いものあるか否かに基づいて、消去するかどうか判定を行うようにしても良い。例えば、ニュース、報道番組、天気予報、スポーツ、情報／ワイドショーなど放送回毎の番組内容に関連性の低い番組ジャンルである場合には、ユーザーによる消去操作が行われた後に、その放送回の録画コンテンツが再視聴される可能性が低いと考えられる。このような場合は、上記のように録画された実体データをすぐには消去しないで一定期間保存しないようにしても良いし、または、保存期間を比較的短くするなど番組ジャンル毎に保存期間を設定するようにしても良い。
【００２０】
また、前記データ記録／消去処理部は、記憶容量を監視する記憶容量監視部による記憶容量の残容量も考慮して、残容量が多ければ保存期間を長めにし、残容量が少なくなると保存期間を短めにするなどの制御を行うことが好ましい。
【００２１】
本発明の他の観点によれば、コンテンツの録画再生を行うコンテンツ録画再生装置におけるコンテンツ再生方法であって、録画コンテンツを格納するコンテンツ記録ステップと、コンテンツ同士の関連性を判定するコンテンツ関連性判定ステップと、コンテンツの消去の操作の指示を受け付ける操作受付ステップと、録画されたコンテンツのリスト表示処理を行う録画コンテンツリスト表示処理ステップと、録画された番組の記録と消去の処理を行うデータ記録／消去処理ステップと、を有し、前記操作受付部において録画コンテンツの消去操作が行われた場合に、前記録画コンテンツリスト表示処理ステップにおいては、消去された録画コンテンツのタイトルリストとしては表示されないようにし、前記データ記録／消去処理ステップは、前記コンテンツ関連性判定ステップにおいて、前記コンテンツ記録ステップにより格納される録画コンテンツと前記消去された録画コンテンツとの関連性があると判定した場合には、録画された実体データを少なくともある期間だけは保存しておく処理を行うことを特徴とするコンテンツ再生方法が提供される。前記消去された録画コンテンツと関連する録画コンテンツの再生を行うことができるユーザーインターフェースを表示させた場合に、消去されたコンテンツの再生を行うための関連コンテンツ再生用のインターフェースを表示するための制御を行う関連コンテンツ再生インターフェース表示制御ステップを備えたことが好ましい。本発明は、コンピュータに上記に記載のコンテンツ再生方法を実行させるためのプログラムであっても良いし、該プログラムを記録するコンピュータ読み取り可能な記録媒体であっても良い。該プログラムは、インターネットなどの伝送媒体により取得されたものでも良い。
【発明の効果】
【００２２】
上記のように、連続番組を予約録画している録画再生装置において、ユーザー操作により、連続番組のある放送回の録画コンテンツが消去されても、録画された実体データをすぐには消去しないで一定期間保存しておくことで、後日、ユーザーが後続放送回の録画コンテンツとの関連を確認したいと思った際にも、一旦消去操作してしまった連続番組の放送回の録画コンテンツを視聴して、内容を確認することができる。
【００２３】
加えて、録画タイトルリストからは見えなくする事で、多数の録画タイトルがある場合に不必要な録画タイトルとして表示することなく、ユーザーが希望する録画タイトルの検索も容易に行うことができる。
【００２４】
さらに、消去操作を行ったコンテンツに関しては、連続性・関連性を有するコンテンツのメニューからは再生可能なコンテンツとして表示させ、再生可能とすることで、消去処理を行ったコンテンツであっても、他のコンテンツと関連性がある場合には、他のコンテンツと関連をもたせる形で再生することができるため、ユーザーの操作性を向上させることができる。
【図面の簡単な説明】
【００２５】
【図１】本発明の一実施の形態による録画再生装置の一構成例を示す機能ブロック図である。
【図２】予約リストの表示例を示す図である。
【図３】連続番組や帯番組などの関連付けされた番組であるか否かの判定を行う処理の流れを示すフローチャート図である。
【図４】連続番組や帯番組であるかどうかの判定を行う処理の流れを示すフローチャート図である。
【図５】上記１）の判定方法と２）の判定方法との併用による連続番組や帯番組か否かに関する判定処理の流れを示すフローチャート図である。
【図６】毎週予約や毎日予約と、日時指定予約や番組表予約と、ダイレクト録画を、併用する場合の判定処理の流れを示すフローチャート図である。
【図７】録画リストの表示の一例を示す図である。
【図８】録画コンテンツリストから移行したコンテンツ再生メニューの表示の一例を示す図である。
【図９】録画コンテンツリストから移行した再生メニューの表示の別の例を示す図である。
【図１０】「ユーザー操作により消去処理された放送回の録画コンテンツの録画日時からの経過時間」を基に、消去するかどうか判定する録画コンテンツの消去判定処理の流れを示すフローチャート図である。
【図１１】「ユーザー操作により消去処理された放送回の録画コンテンツの録画日時からの経過時間」を基に、消去するかどうか判定する録画コンテンツの消去判定処理の流れを示すフローチャート図である。
【図１２】連続番組や帯番組の録画コンテンツの録画の様子を示す図である。
【図１３】「ユーザー操作により消去処理された放送回の録画コンテンツの視聴回数」を基に、消去するかどうか判定する方法の処理の流れを示すフローチャート図である。
【図１４】前後の放送回の視聴回数の少ないかどうかを基に、消去処理された放送回の録画コンテンツを消去するかどうか判定する録画コンテンツの消去判定処理の流れを示すフローチャート図である。
【図１５】番組のジャンルに依存して、保存の基準を変更する例を示すフローチャート図である。
【発明を実施するための形態】
【００２６】
以下、本発明の実施の形態による録画再生装置（記録再生装置）について、図面を参照しながら説明を行う。図１は、本発明の一実施の形態による録画再生装置の一構成例を示す機能ブロック図である。本実施の形態による録画再生装置Ａは、図示しないアンテナから受信した放送波の選局を行うチューナ部１と、チューナ部１において選局された番組の受信処理を行う受信処理部３と、受信した番組（コンテンツ）の再生のための処理を行うコンテンツ再生処理部５と、処理されたコンテンツを出力する再生出力部７と、制御部１１と、コンテンツデータを記録する記録媒体（ＨＤＤ）３１と、外部とのインターフェースを形成する外部ＩＦ部３３と、有している。再生出力部７から出力された番組コンテンツは、例えばデジタルテレビジョン受信装置Ｂに送られ、ＴＶモニター（表示部）３７に表示させることができる。
【００２７】
制御部１１は、一般的な録画等に関する処理を制御する各制御部の他に、どのような番組をどの程度の頻度で記録し再生したかなどに関する視聴履歴（操作履歴）情報を管理する視聴履歴情報管理部１５と、どの番組をいつ消去したかなどに関する番組の消去情報を管理する消去情報管理部１７と、番組同士の関連性（連続性）を判定するコンテンツ関連性判定部１８と、どの番組が録画予約されているかなどに関する番組の予約情報を管理する予約情報管理部２１と、リモコン装置３５などの外部制御機器からの操作の指示を受け付ける操作受付部２３と、後述するような録画された番組の録画リスト表示処理を行う録画リスト表示処理部２５と、関連コンテンツ再生インターフェース表示制御部２５ａと、録画された番組の記録と消去の処理を行うデータ記録／消去処理部２７と、を有している。また、制御部１１は、内蔵の記録媒体（ＨＤＤなど）３１及び一般的なメモリ（例えば、制御プログラムを格納している）とも接続されており、記憶容量を監視する記憶容量監視部２７ａも設けられている。尚、番組情報は、例えば放送波中のＥＰＧ情報（ＳＩ情報）をもとに抽出することができる。これに基づいてＥＰＧを作成することができる。
【００２８】
以下、この録画再生装置Ａにおける、連続番組のコンテンツ消去や再生の方法について説明する。尚、以下の説明においては、実施例として予約録画された番組を中心に説明を行うが、予約録画された番組に限定されるものではなく、直接録画された番組なども含まれることは言うまでもない。すなわち、各放送回の録画した際に、少なくとも1回がダイレクト録画された場合でも、録画番組が例えば連続番組の一部であるかどうかなど関連性を判別するための情報（例えば、「タイトル情報」など）が入手可能であれば、録画方法を限定するものではない。
【００２９】
図２は、予約リストの表示例を示す図である。図２に示す予約リスト５１は、ＴＶの表示部３７に表示される。予約リスト５１には、複数の予約番組がリスト表示（５７）されている。予約リスト表示５７には、例えば、図の例では８番組が表示されており、予約された番組の放送日時などの順番を示す番号（一般的には昇順になっている）と、実際の予約された番組の放送される日など（日にち、毎週火曜、月から金、毎日など）及び予約された番組の放送時間帯（午後７時から８時までなど）５７ａと、放送チャネル（地デジ（Ｄ）０８１など）５７ｂと、番組名（タイトル）５７ｃと、録画先（ＨＤＤなど）５７ｄと、録画する画質５７ｅと、が表示される。また、例えばボトム領域５８には、操作のガイダンスが示されている。また、領域５３は、予約リスト表示５７内におけるフォーカスが当てられている行の番組（図では、タイトル２）の詳細情報が表示されている。延長：入とは、デジタル放送での番組表からの情報により、当初の予定により番組の終了時間が延長された場合に、予約録画の週力時間を自動的に延長する設定の入／切であり、この表示例では「入」に設定されている。リストにおけるフォーカス位置は、リモコン装置の上下キーなどを操作することで移動させることができる。
【００３０】
（１）前処理
まず、コンテンツ関連性判定部１８が、録画された番組（又は、録画予定の番組）が、連続番組（連続性）や帯番組（関連性）など、視聴要求という意味で他の番組と関連性・連続性がある番組であるかどうかを判定する。まず、本発明の第１の特徴である、関連性・連続性がある番組であるかどうかの判定方法について以下に説明する。
【００３１】
（判定方法）
１）予約録画設定情報を基にした判定方法
図３は、コンテンツ関連性判定部１８における、連続番組や帯番組などの関連付けされた番組であるか否かの判定を行う処理の流れを示すフローチャート図である。処理が開始されると（ステップＳ１）、予約録画設定情報を読み込む（ステップＳ２）。次いで、ステップＳ３において、予約録画設定情報に基づいて、毎週予約や毎日予約による予約録画であるか否かを判定する。予約録画である場合には（ＹＥＳ）ステップＳ４に進み、予約録画でない場合には（ＮＯ）ステップＳ５に進む。ステップＳ４では、予約録画対象の映像の入力元は特定できるか否かを判定し、ＹＥＳの場合にはステップＳ６に、ＮＯの場合にはステップＳ５に進む。ステップＳ４で、例えば、予約録画対象の映像が外部アナログ入力である場合には、同じ映像ソース（ＴＶ放送であれば同じチャネル）からの映像であるかを確認できないため、ＮＯとなる。
【００３２】
ステップＳ５では、この予約録画による録画コンテンツは、連続性又は関連性が無いと判定され、ステップＳ７で処理が終了される。また、ステップＳ６では、この予約録画による録画コンテンツは連続番組や帯番組など、連続性・関連性があると判定され、ステップＳ７に進む。
【００３３】
このように、予約録画が同じ時間帯で同じチャネルの番組を毎週録画予約する毎週予約や毎日予約する毎日予約であり、録画する映像の入力元が外部入力（ＲＣＡ端子（ピン端子）、Ｓ端子などを介した外部機器からの入力）ではなく、録画再生装置に内蔵されたＴＶ放送チューナ出力であれば、デジタルＴＶ放送チャンネルを指定した予約録画であり、予約録画設定情報に含まれるチャンネル情報から、特定のＴＶ放送チャンネルの連続番組や帯番組であるかどうか判定できる（ステップＳ６）。
【００３４】
尚、録画再生装置と映像出力装置間の接続方法が、ｉ.ＬＩＮＫ接続やＨＤＭＩ接続である場合には、タイトル情報を含むコンテンツ関連情報の機器間でのやり取りが可能であるため、内蔵チューナ出力である場合と同様に連続番組や帯番組であるかどうか判定することができる。
【００３５】
２）録画された番組（または、録画予定の番組）のタイトル情報を基にした判定方法
コンテンツ関連性判定部１８は、録画コンテンツに映像と共に録画されているタイトル情報を参照して、連続番組や帯番組であるか否かを判定することもできる。タイトル情報の取得元としては、録画コンテンツが日本のデジタル放送である場合には、放送データに含まれているＡＲ、ＩＢ規格で規定されているＳＩ（番組配列情報）やＰＳＩ（番組特定情報）などが挙げられる。これらの情報をメモリに記録し、記憶されている情報から、コンテンツに関するタイトル情報を抽出して、その番組が連続番組や帯番組であるか否かを判定する。尚、具体的な抽出箇所やその処理方法は公知の方法であるため、その詳細についての説明は省略する。
【００３６】
尚、録画再生装置と映像出力装置との間の接続方法がＨＤＭＩ接続であり、ＨＤＭＩ規格（バージョン1.2a以降）で定義されているＣＥＣ（Consumer Electronics Control）による機器間制御機能が、ＨＤＭＩ接続された録画再生装置と映像出力機器との双方に実装され、機器間連携動作の中でコンテンツに関する情報が様々やり取りできる場合には、映像出力機器を介して多様な情報が入手可能である場合には、この映像出力機器を介して入手された情報を基に、連続番組や帯番組かどうか判定しても良い。
【００３７】
（連続性・関連性の判定方法）
次に、コンテンツ関連性判定部１８における、タイトル情報に基づいて連続番組や帯番組かどうかの判定方法について説明する。録画コンテンツが連続番組や帯番組であれば、タイトル情報内に同一点か類似点があるため、これを判定材料として連続番組や帯番組か否かを判定する。
【００３８】
図４は、連続番組や帯番組であるかどうかの判定を行う処理の流れを示すフローチャート図である。図４に示すように、まず、処理を開始すると（ステップＳ１１：開始）、ステップＳ１２において、各録画コンテンツのタイトル情報の読み込みを行う。ステップＳ１３において、２個の録画コンテンツを選択してタイトル情報を比較する。次いで、ステップＳ１４において、タイトル情報が完全一致又は前方一致するか否かを判定する。いずれかが一致する場合には（ＹＥＳ：この場合には、関連性のある番組であると判断される。）ステップＳ１６に進み、２個の録画コンテンツは連続番組や帯番組などであり、連続性・関連性があると判定される。一方、ステップＳ１４において、いずれも一致しない場合には（ＮＯ）ステップＳ１５に進み、２個の録画コンテンツは連続性・関連性がないと判定される。ステップＳ１７で、全ての録画コンテンツのタイトル情報を比較済みか否か判定し、ＮＯであればステップＳ１３に戻り、ＹＥＳであれば判定の処理が終了する（ステップＳ１８）。
【００３９】
このように、例えば、コンテンツが連続番組や帯番組である場合において、タイトル情報には、番組名＋放送回数（第何回放送等）、番組名＋放送日時が含まれている。従って、番組名の全体やその一部（例えば、前方一致するかどうか、一致性判定設定値（例えば８０％など）以上の一致性がある）をもとに、連続番組や帯番組かどうか判定することができる。
【００４０】
より具体的には、録画コンテンツのタイトル情報が、「ＸＸＸ(番組名)  第１回」、「ＸＸＸ(番組名)  第２回」、…となっていた場合、タイトル情報が前方一致していることから連続番組や帯番組と判定することができる。特に、コンテンツの録画方法が予約録画ではなくダイレクト録画による場合は、予約録画設定情報自体がなく、予約録画設定情報を基にした判定自体もできないため、録画コンテンツのタイトル情報を基に判定を行うことが好ましい。
【００４１】
また、ＴＶ放送では、同一コンテンツを放送日時や放送形態を変えて放送されることがある。例えば、当初は地上デジタル放送で放送したコンテンツを再放送とする際に、同じ地上デジタル放送局からの放送、系列のＢＳデジタル放送局において放送することがある。このような放送を混在して録画した場合には、実際には連続番組や帯番組であるにもかかわらず、予約録画設定情報を基に連続番組や帯番組かどうか判定すると、連続番組や帯番組ではないという判定結果になる可能性が高い。このような場合にも、録画コンテンツのタイトル情報を基に判定を行うことが有用である。この判定の際には、同じ系列局から放送されたコンテンツかどうかの情報も判定材料とすることにより、連続番組や帯番組かどうかの判定精度を上げることができる。また、録画コンテンツのタイトル情報に「ＸＸＸ(番組名)  第２回」のように放送回の情報が含まれている場合には、録画コンテンツの前後関係も判定することが可能である。
【００４２】
３）上記１）の判定方法と２）の判定方法との併用（例えば、一例として、日時指定予約や番組表予約による予約録画の場合など）
図５は、上記１）の判定方法と２）の判定方法との併用による連続番組や帯番組か否かに関する判定処理の流れを示すフローチャート図である。図５に示すように、ステップＳ２１において処理が開始され（開始）、ステップＳ２２において、予約録画設定情報の読み込みを行う。ステップＳ２３において、毎週予約や毎日予約以外による録画コンテンツがあるか否かを判定する。ステップＳ２３でＮＯの場合には、ステップＳ４（図３）に進む。ステップＳ２３においてＹＥＳの場合には、ステップＳ２４に進み、各録画コンテンツの録画日時情報から、週毎または日毎、同一時間帯に録画された録画コンテンツがあるか検索を行い、ステップＳ２５において、週毎または日毎、同一時間帯に録画された録画コンテンツがあるか否かを判定する。コンテンツがないと判定された場合には（ＮＯ）、ステップＳ３１に進み、あると判定された場合には（ＹＥＳ）、ステップＳ２６において、該当する録画コンテンツを連続番組や帯番組などで、連続性・関連性があることを仮判定する。ステップＳ２７において、該当する録画コンテンツを選択して、タイトル情報を比較する。ステップＳ２８において、タイトル情報が完全一致又は前方一致するか否かを判定する。タイトル情報が完全一致又は前方一致する場合には（ＹＥＳ）、ステップＳ３０において、該当の録画コンテンツは連続番組や帯番組などで連続性・関連性があると判定する。タイトル情報が完全一致又は前方一致のいずれもしない場合には（ＮＯ）、ステップＳ２９において、該当の録画コンテンツは連続番組や帯番組などで連続性・関連性がないと判定する。次いで、ステップＳ３１において、全ての録画コンテンツを検索済みか判定し、ＮＯであれば、ステップＳ２４に進み、ＹＥＳの場合にはステップＳ３２に進み、終了する。
【００４３】
このように、上記１）の（毎週予約や毎日予約による予約録画設定）ではなく、日時指定予約、毎放送回毎の番組表予約による予約録画の場合や、ユーザーの録画開始操作によるダイレクト録画の場合には、予約録画設定情報を基にした連続番組や帯番組かどうかの判定ができない。このような場合には、予約録画設定情報の他に、録画コンテンツの録画日時やタイトル情報も合わせて判定材料とすることで連続番組や帯番組かどうか判定する。
【００４４】
例えば、録画コンテンツがＴＶ番組である場合は、放送日時（＝コンテンツが録画された日時）情報を判定材料とすることができる。一例として、録画コンテンツのタイトル情報が、単に、「ＸＸＸ(番組名)」、「ＸＸＸ(番組名)」、…となっていた場合でも、録画コンテンツの放送日時（＝コンテンツが録画された日時）情報を基に、前後関係（どれが先行するコンテンツかどうか）も確認した上で、連続番組や帯番組と判定する。毎週放送されているＴＶドラマなどの番組であれば、一週間毎に同一曜日で、同一時間帯で、同一時間長で、繰り返し放送されており、録画コンテンツの放送日時（＝コンテンツが録画された日時）情報で上記繰り返し条件を満たしていれば、連続番組として判定する。
【００４５】
また、毎週月曜日から金曜日に放送されている帯番組であれば、毎週月曜日から金曜日で、同一時間帯で、同一時間長で、繰り返し放送されており、上記連続番組での例と同様に、録画コンテンツの放送日時（＝コンテンツが録画された日時）情報を基に、帯番組として判定する。尚、上記の例は、連続番組や帯番組の毎放送日時が変更されない場合について、同一時間帯で、同一時間長であるとの繰り返し条件を基に判定する方法であったが、もちろんこれに限定するものではない。
【００４６】
実際のＴＶ放送においては、一部放送回の放送時間が前後に変更、放送時間の延長、緊急な場合も含めて本来の連続番組や帯番組ではない特別番組への差し替えなどが、発生することもある。このような場合には、上記のような同一時間帯で、同一時間長であるとの繰り返し条件を基に判定ができない。このような場合には、例えば、毎週放送されているＴＶドラマなどの番組なら同一曜日、毎週月曜日から金曜日に放送されている帯番組なら毎週月曜日から金曜日で、予約録画設定された前後２時間以内に開始される番組で、番組タイトル情報が類似であるかどうかを基に、連続番組や帯番組かどうか判定するようにしても良い。
【００４７】
例えば、連続番組に対して毎週予約録画設定されており、ある週の放送時間帯に予約録画設定の番組名とは全く異なる番組名の番組が放送される場合には、該当する週の放送は予約録画したい連続番組ではなく、特別番組など別コンテンツである可能性が極めて高いとして、連続番組ではないと判定する。
【００４８】
また、デジタル放送を録画可能な録画再生装置においては、デジタル放送の予約録画において、放送番組の放送時間の延長や変更に対して、デジタル放送の番組表情報を基に自動的に対応する機能を有するものがあるが、このような機能を有する録画再生装置では、放送時間の延長や変更に対応する機能を本件の連続番組や帯番組であるかどうかの判定に活用しても良い。機能活用することにより、ユーザーが希望する予約録画を確実に行うと共に、しいては、本件のように、連続番組のある放送回の録画コンテンツが消去されても、録画された実体データをすぐには消去しないで一定期間保存しておく事が可能となる（放送時間の延長や変更に対応する機能については既存技術であり、説明を省略する。）。  尚、上記説明においては、毎週予約や毎日予約による予約録画か、日時指定予約や番組表による予約録画またはダイレクト録画かどうかで、連続番組や帯番組であるかどうかの判定方法を切替えていたが、これに限定するものではない。ユーザーにより実際に行われる録画方法として、連続番組や帯番組を予約録画する場合には、毎週予約や毎日予約と、日時指定予約や番組表予約と、ダイレクト録画を、併用することもある。このような場合は、上記判定方法を組み合わせて、連続番組や帯番組であるかどうか判定しても良い。
【００４９】
図６は、このような判定処理の流れを示すフローチャート図である。図６に示すように、まずステップＳ４１において処理を開始し、ステップＳ４２において、予約録画設定情報を読み込む。次いで、ステップＳ４３において、毎週予約や毎日予約以外による録画コンテンツがあるかを判定する。ＮＯの場合には、ステップＳ４（図３）に進む。ＹＥＳの場合には、ステップＳ４４に進み、各録画コンテンツの録画日時情報から、週毎又は日毎、同一時間帯に録画された録画コンテンツがあるか否かを検索する。次いで、ステップＳ４５において、週毎又は日毎、同一時間帯に録画された録画コンテンツがあると判定された場合には（ＹＥＳ）、ステップＳ４６に進み、無いと判定された場合には（ＮＯ）、ステップＳ５３に進む。ステップＳ４６においては、該当する録画コンテンツに関して、連続番組や帯番組などで連続性・関連性があると仮判定される。そして、ステップＳ４７において、該当する録画コンテンツを選択して、タイトル情報を比較する。そして、ステップＳ４８において、タイトル情報が完全一致または前方一致するか否かを判定する。ＮＯの場合には、ステップＳ４９に進み、放送の録画コンテンツは、連続性・関連性がないと判定し、ステップＳ５３に進む。ステップＳ４８においてＹＥＳの場合には、ステップＳ５０に進み、該当する録画コンテンツは、連続番組や帯番組などであり、連続性・関連性があると判定する。ステップＳ５１において、該当する録画コンテンツは、毎週予約や毎日予約による録画コンテンツ群と連続性があるか否かを判定する。尚、コンテンツ群における、毎週予約や毎日予約による録画コンテンツの連続性・関連性については、例えば、図３に示す判定処理により判定済みであるとする。ＮＯの場合には、ステップＳ５３に進む。ＹＥＳの場合には、ステップＳ５２に進み、毎週予約や毎日予約による録画コンテンツ群も含めて連続性・関連性があると判定し、ステップＳ５３に進む。ステップＳ５３においては、全ての録画コンテンツを検索済みか判定し、ＮＯの場合にはステップＳ４４に戻り、ＹＥＳの場合にはステップＳ５４で判定処理を終了する。
【００５０】
例えば、当初の数回を日時指定予約や番組表予約による予約録画を行い、その次回放送分から、毎週予約や毎日予約による予約録画を行ったようなことも、通常の使用方法として考えられる。このような場合には、判定方法を組み合わせて判定を行うことにより、連続番組や帯番組であるかどうかに関する判定精度を上げることができる。また、一旦、連続番組や帯番組であるかどうか判定を行った後でも、その判定後に、録画コンテンツと連続性や関連性をもつ可能性がある番組コンテンツ、つまり、同一時間帯に録画されるなど連続番組や帯番組としての続き番組かもしれない番組コンテンツが録画された場合には、連続番組や帯番組であるかどうかの再判定処理を行っても良い。
【００５１】
図７は、録画リストの表示の一例を示す図である。まず、ユーザー操作により消去処理された放送回の録画コンテンツの表示方法について説明する。本実施の形態による表示方法では、ユーザー操作により、連続番組や帯番組のある放送回の録画コンテンツを消去するための操作が行われても、録画コンテンツ一覧表示およびそのコンテンツ概要情報を表示する録画タイトルリスト表示上においては消去操作されたコンテンツの表示はされないようにするが、録画された実体データは操作してすぐには消去させずに少なくとも一定期間は継続して保存しておくことを第２の特徴とする。
【００５２】
図７（ａ）は一画面に８個の録画タイトルを録画リストとして表示した例である。図７（ａ）に示すように、表示部３７にＨＤＤ内における録画リスト６１が表示され、図２と同様に、録画リスト６１には、ＨＤＤ残時間６５と、操作ガイダンス６８と、複数の録画番組のリスト表示（６７）がなされている。録画リスト表示６７には、例えば、図の例では、４３番目（連番）の番組から５０番目の番組までの８番組が表示されており、番組のタイトル名６７ｂ、録画日６７ｃ、録画時間６７ｄ、録画した画質６７ｅが表示され、ユーザーは、リストをスクロール操作によりみていくことができる。
【００５３】
但し、前述のように、録画再生装置に録画されている録画タイトルが多数になると、ユーザーは、このような録画リストの画面をスクロールしながら、希望の録画タイトルを検索する必要があり、録画タイトルが多くなるほど検索性が低下する課題がある。
【００５４】
図７（ａ）に示す録画リストの表示例は、１個の録画コンテンツ（フォーカスが当たっているタイトル４４の録画コンテンツ）を消去しようとしている例である。尚、同様に消去したい録画コンテンツが多数ある場合には、ユーザー操作によりその個数分だけフォーカスして消去させることができる。この消去処理により、図７（ｂ）に示すように、録画リストからタイトル４４の録画コンテンツが表示されなくなる。図７（ｂ）では、符号を図７（ａ）と１０だけ加算した符号で示している。タイトル４４が消去操作されていることで、フォーカス位置は、タイトル４５の録画コンテンツに当たり、タイトル５１の録画コンテンツが新たに表示される。番号７７ａは、タイトル４５以降に振り直される。
【００５５】
録画コンテンツリストからはタイトル４４は非表示となっているが、タイトル４４が、上記の処理により関連性のあるコンテンツであると判断された場合には、ＨＤＤ内のコンテンツ（タイトル４４）の実体データを、保存したままにする。従って、ＨＤＤ残時間７５は図７（ａ）の残時間６５と同じである。尚、保存する場合でも、録画モードを変更した場合や、ＣＭカットなどをした場合には、録画コンテンツのデータ量が変化し、ＨＤＤ算時間７５は変化する場合がある。
【００５６】
このように、録画タイトルが多数ある場合にも、録画リストにはユーザー操作により消去処理操作がなされていない録画コンテンツのみ表示することで、録画リストとしての検索性は向上を図るとともに、消去された録画コンテンツに関して他の録画コンテンツとの関連性・連続性が見いだされた場合には、録画された実体データを継続して内蔵ＨＤＤ内に少なくともある時間だけは保存しておくことで、ユーザーによる該当録画コンテンツの再視聴も可能としている。
【００５７】
このように、消去操作を行った場合には録画タイトルリスト表示からは見えなくすることにより、多数の録画タイトルがある場合に不必要な録画タイトルとして表示することなく、一般的な使い方の場合にはユーザーが希望する録画タイトルの検索もタイトル数を減らすことで容易に行うことができる。
【００５８】
図７（ｃ）は、図７（ａ）とは異なる録画コンテンツ表示例を示す図である。この録画コンテンツ表示２００では、タイトル（録画リスト）２０１と、行列状にサムネイル表示されたコンテンツタイトル群２０３−１から１５までが表示されており、録画コンテンツ２０３−７がユーザー操作により消去されている。すると、上記と同様に、録画コンテンツ２０３−７がサムネイル表示において非表示となるが、録画コンテンツ２０３−７が他の録画コンテンツ群と関連性又は連続性がある場合には、上記と同様に実体データは残しておく。考え方は、表示方法に依存せず同様である。この表示から、録画コンテンツを選択して、消去したコンテンツ以外のコンテンツを再生させることもできる。
【００５９】
次に、本発明の第３の特徴である、ユーザー操作により消去処理された放送回が再生可能である場合におけるＧＵＩの表示方法について説明する。録画リスト表示処理部２５には、上記処理により消去されたコンテンツと関連するコンテンツの再生を行うことができるユーザーインターフェースを表示させた場合に、消去されたコンテンツの再生を行うための関連コンテンツ再生用のインターフェースを表示するための制御を行う、関連コンテンツ再生インターフェース表示制御部２５ａが設けられている。この関連コンテンツ再生インターフェース表示制御部２５ａにより、以下のような表示がなされる。
【００６０】
１）消去処理された放送回の「前後の放送回の録画コンテンツの再生メニュー」に、消去処理された放送回が再生可能である旨を表示する方法（図８（ｂ）、図９（ａ）参照）
図８は、録画コンテンツリストから移行したコンテンツ再生メニューの表示の一例を示す図である。図７に示した録画コンテンツリストでは、消去操作を行ったコンテンツを選択することはできないが、ある一定期間の間だけは実体データが残っている録画コンテンツを再生させる仕組みとする必要がある。そのような必要性は、要するに、消去操作を行った録画コンテンツと、関連性・連続性がある録画コンテンツを見て、それと関連する録画コンテンツを見たいという要求があるから場合があるからである。
【００６１】
図８（ａ）に示すように、表示部３７に表示されたコンテンツの再生メニュー表示では、録画コンテンツのリストである旨の表示８１と、録画コンテンツのタイトル等の詳細情報表示８３と、機能メニュー表示８７と、再生処理に関する操作メニュー表示８８と、ガイダンス表示８９とが表示されている。機能メニュー８７には、図８（ａ）におけるタイトル１の再生、内容説明、編集、タイトル名変更、グループ設定、タイトル保護設定などの機能メニューが用意されている。また、操作メニュー表示８８では、機能メニューで再生にフォーカスされているため、このタイトルを再生するかどうかの選択を促す表示がなされ、例えば、最初から再生するボタン８８ａ、つづきから再生するボタン８８ｂが表示されている。これらのボタンにより、録画コンテンツの再生を行わせることができる。
【００６２】
図８（ｂ）に示すように、表示部３７に表示されたコンテンツの再生メニュー表示では、録画コンテンツのリストである旨の表示９１と、録画コンテンツのタイトル等の詳細情報表示９３（この場合は、タイトル２）と、機能メニュー表示９７と、再生処理に関する操作メニュー表示９８と、ガイダンス表示９９とが表示されている。タイトル２には、録画コンテンツに連続性・関連性のある場合の表示例を示す図である。この放送回の録画コンテンツと連続性・関連性がある録画コンテンツが保存されていると特定された場合に、この前話・次話と判定された録画コンテンツ再生に対応するメニューから表示される。すなわち、この放送回の録画コンテンツと連続性・関連性がある録画コンテンツが保存されていると特定された場合には、機能メニュー表示９７において前話・次話再生９７ａが新たに表示され、これにフォーカスすると、操作メニュー表示９８には、このタイトル（２）の前話・次話を再生するか否かの操作を促すメニューが表示される。ここで、前話再生９８ａ、次話再生９８ｂを選択することができる。
【００６３】
また、毎週放送される番組があれば、前週放送分が前話、次週放送分が次話に相当する。但し、ここでは、前々話や次々話の録画コンテンツが保存されていても、コンテンツの連続性を考慮して、メニュー表示していない。
【００６４】
図８（ｃ）は、図８（ｂ）と同様に、録画コンテンツに関連性・連続性がある場合の録画リスト１０１（符号は、図８（ｂ）に対して１０足した数字で示す）の表示例を示す図である。図８（ｂ）に対して、以下の点が異なる。
【００６５】
例えば、次話と推定される録画コンテンツが無い場合に、前話・次話再生１０７ａにフォーカスされると、操作メニュー表示１０８には次話再生のボタンが表示されず、前話再生１０８ａのボタンのみが表示される。このような例としては、例えば、１）まだ、次話に相当する放送がされていないために録画されていないケース、２）次話に相当する録画コンテンツは、既にユーザーが視聴したためか、その後にユーザーにより消去操作され、次話に相当する録画コンテンツの実体データも保存されていないケース、などである。
【００６６】
このように、例えば、「消去処理された録画コンテンツの放送回」の「次回放送の録画コンテンツの再生メニュー」に、「前話再生」のアイコンのみを表示させる。また、逆に、「消去処理された放送回」の「前回放送の録画コンテンツの再生メニュー」には、「次話再生」のアイコンのみを表示させる。
【００６７】
２）消去処理された放送回の「前後の放送回の録画コンテンツ」の再生中に、その再生状況を基にポップアップメニューを表示して、消去処理された放送回が再生可能である旨を表示する方法
図９は、録画コンテンツリストから移行した再生メニューの表示の別の例を示す図である。図９（ａ）に示すように、表示部３７に表示されたコンテンツの再生メニュー表示では、録画コンテンツのリストである旨の表示１１１と、録画コンテンツのタイトル等の詳細情報表示１１３と、機能メニュー表示１１７と、再生処理に関する操作メニュー表示１１８と、ガイダンス表示１１９とが表示されており、再生処理に関する操作メニュー表示１１８以外は、図８（ａ）に示す表示例と同様である。この表示例は、通常のメニュー表示に、常に、「前話再生」、「次話再生」も同じ画面に表示させて、選択できるようにしている点である。いずれを選択するかは、例えば、リモコンの方向キーと決定キーなどで操作できる。操作メニュー表示１１８では、「このタイトルを再生します。」などのガイダンスとともに、「最初から」ボタン１１８ａ、「つづきから」ボタン１１８ｂが、さらに、「このタイトルの前話・次話を再生します。」などのガイダンスとともに、「前話再生」ボタン１１８ｃ、「次話再生」ボタン１１８ｄが設けられている。
【００６８】
図９（ｂ）に示すように、例えば、ある放送回の録画コンテンツ１２１を視聴しており、ほぼ視聴が完了した時にポップアップメニュー１２３を表示させて、ボタン１２３ａとともに、次話が再生可能である事を通知するようにできる。特に、この「ある放送回の録画コンテンツ」の視聴回数と比較すると次話の視聴（再生）回数が極めて少ない場合は、次話が再生可能であることをユーザーに対して通知することが好ましい。もちろん、次話が未視聴である場合に表示させるようにしても良い。
【００６９】
また、図９（ｃ）に示すように、ユーザーのリモコン操作により、録画コンテンツが先頭から再生される際にポップアップメニュー１３５を表示させて、前話再生ボタン１３５ａにより、前話が再生可能であることを通知するようにしても良い。このユーザーのリモコン操作とは、例えば、１）ある放送回の録画コンテンツの再生メニューにある「最初から再生」が選択された場合、２）ある放送回の録画コンテンツを視聴している時に、ユーザーのリモコン操作により、録画コンテンツの先頭にジャンプした場合、などが考えられる。
【００７０】
すなわち、ユーザーが、この「ある放送回の録画コンテンツ」が視聴済みでも、「最初から再生」を選択されたのは、視聴済みユーザーが単にこの放送回が好みのためにこの録画コンテンツを再視聴する場合や、前回視聴から時間が経ったため最初から再視聴する場合の他に、視聴済みユーザーとは別ユーザーが初回視聴する場合などがあり、今回の視聴ユーザーが前話内容を確認したいと要望する可能性があると推定される。このような場合には、ポップアップメニューを表示させて、前話が再生可能であることを通知する。
【００７１】
次に、ユーザー操作により消去処理された放送回の録画コンテンツの保存方法について説明する。本実施の形態では、ユーザー操作により消去処理された録画コンテンツは、録画タイトルリスト上には表示されないようにするが、録画された実体データは消去しないで少なくともある期間だけ継続して保存しておくものである。実体データの保存方法としては、以下に示す方法が考えられる。
１）実体データを、当初の録画モードのままでそのまま残す方法。
２）高圧縮録画モードにトランスコードし、または、再エンコードして実体データを残す方法。
３）当初の録画モードのままであるが、単純に一部のみを残す方法。例えば、前半部分や後半部分のみ残す、最後の１０分間のみ残す方法など考えられる。消去操作された録画コンテンツの視聴のされ方を考慮して、残す部分を決めると良い。
４）当初の録画モードのままであるが、ＣＭカットなどを実行してから残す。
５）通常動画像ではなく、ダイジェスト動画像に変更して残す。
【００７２】
上記の保存の仕方１）から５）までに関する利点等について説明する。
上記１）の利点等について：  消去処理後の処理は、録画リストから見えなくするだけであるため、そのまま残す処理が一番簡易であり処理に要するパワーも必要ないため、再生や録画など他の動作中でも処理可能である。但し、実体データに確保されていた録画容量は同じ容量を確保したままとなる。
【００７３】
上記２）の利点等について：  録画リストから見えなくする点は、上記１）〜４）で共通ではあるが、２）では、高圧縮録画モードに変換することで、当初録画コンテンツが使用していた記録媒体の録画領域の一部を開放して、別の録画に使用できるようになるという利点がある。
【００７４】
尚、高圧縮録画モードへの変換の一例としては、ＭＰＥＧ２でエンコードされたコンテンツをＨ．２６４にトランスコードする方法や、ＭＰＥＧ２の変換レートをより低レートにして再エンコードする方法などの公知の方法を用いることができる（ただし、トランスコード、または、再エンコードは変換処理が重い場合もあるため、ユーザーが録画再生装置を使用していない時（スタンバイ状態や、電源オフ時）に変換処理をする必要があり、即時性に問題がある。もちろん、逆に言えば、深夜などユーザーが録画再生装置を使用しない可能性が高い時間帯に変換処理しても問題なければ、この方法を適用することは可能である。）。
【００７５】
上記３）の利点等について：  一部のみを起こすため、コンテンツ編集処理が比較的軽く、当初録画コンテンツが確保されていた記録媒体の録画領域の一部を開放して、別コンテンツの録画用として使用できるようになるという利点がある。尚、コンテンツ編集方法については既存技術であり、説明を省略する。
【００７６】
例えば、ユーザーがある回放送分の録画コンテンツを視聴する前に、前回放送分を確認する場合には、前回放送分の全体を確認までは必要とせず、その一部を確認できれば十分であるとも考えられる。このような場合には、消去処理された放送回の録画コンテンツの一部のみ残して、実体データを消去した録画領域を開放するものである。
【００７７】
上記４）の利点等について：  ユーザーが、一旦消去した録画コンテンツにおいて、わざわざＣＭ部分を再視聴することは考えにくく、ＣＭカットしておくことは、本来の再視聴目的である番組内容を確認するためには有用である。尚、ＣＭカットの実施方法については既存技術であり、説明を省略する。
【００７８】
上記５）の利点等について：  ユーザーが、前回放送分の録画コンテンツの概要さえ確認できれば良い場合には、ダイジェスト動画像に変更することは有用である。
【００７９】
但し、コンテンツのどの部分をダイジェストとして残すかどうかが問題となるが、例えば、簡易ダイジェスト動画像の作成方法には、等間隔で数分間映像を抽出してまとめて、ダイジェスト動画像とする方法がある。例えば、録画コンテンツを１０分間隔で１分の映像を録画コンテンツから抽出して順次表示させてダイジェスト動画像とする方法や、録画コンテンツを時間軸で２８等分割して各部から１分間の映像を抽出した上で、２８分割されたサムネイル画像としたものをダイジェスト動画像とする方法などが挙げられる。
【００８０】
尚、上記２）から５）までの方法は、ユーザー操作により消去処理された放送回の録画コンテンツ保存方法として、それぞれ単独で、或いは、組み合わせて適用しても良い。
【００８１】
次に、ユーザー操作により消去処理された放送回の録画コンテンツの保存方法の変更方法について説明する。ユーザー操作により消去処理された放送回の録画コンテンツの保存方法として、上記１）〜５）までを例に説明を行ったが、一旦適用した保存方法でそのまま適用しつづけることには限定しない。
【００８２】
例えば、当初の保存方法として、上記１）〜５）までのいずれかを単独で適用した後に、録画再生装置の録画容量に空きが少なくなり、以降の録画動作に支障が出ることが想定される場合には、録画再生装置の空き録画容量を増やすことを目的として、ユーザー操作により消去処理された放送回の録画コンテンツの保存方法として、上記２）〜４）までの方法を再度適用するようにしても良い。一例としては、ユーザー操作により消去処理された放送回の録画コンテンツがＤＲモード（デジタルＴＶ放送を放送画質のまま録画する際の録画モード）で保存されていたものを、ＸＰモード、ＳＰモード、３倍モードや５倍モード（Ｈ．２６４によるハイビジョン画質の高圧縮録画モード）に変換することが挙げられる。
【００８３】
例えば、録画再生装置における録画モードのうち、代表的な録画モードの録画レートは、ＤＲモードは約２４Ｍｂｐｓ、ＸＰモードは約１１Ｍｂｐｓ、ＳＰモードは約６Ｍｂｐｓである。このような録画レート設定されている録画再生装置において、ＤＲモードで録画されている録画コンテンツをＳＰモードに変換すると、この録画コンテンツを録画再生装置に録画保存しておくために必要な録画容量が、約１／４（＝  ６Ｍｂｐｓ  ÷  ２４Ｍｂｐｓ）になる。このような録画コンテンツの録画レート変更により、連続番組を予約録画している録画再生装置において、ユーザー操作により、連続番組のある放送回の録画コンテンツが消去されても、録画された実体データをすぐには消去しないで一定期間保存しておくと共に、必要な空き録画容量を増やすことができる。
【００８４】
次に、ユーザー操作により消去処理された放送回の録画コンテンツの保存後の消去方法について以下に説明する。
上記のように、ユーザー操作により、連続番組のある放送回の録画コンテンツの消去操作が行われても、録画された実体データをすぐには消去しないで一定期間保存しておいたままでは、この録画コンテンツを録画再生装置に録画保存しておくために必要な録画容量が開放されないため、いずれ録画容量の不足の問題が発生する。そこで、このような録画容量不足の問題を解決するために、ユーザー操作により消去処理された放送回の録画コンテンツを一旦保存した後に、実際に録画データとして消去するかどうかの判定方法について、次に説明する。この判定方法の例としては、以下に示す方法が挙げられる。
【００８５】
１）「ユーザー操作により消去処理された放送回の録画コンテンツの録画日時からの経過時間」を基に、消去するかどうか判定する方法
図１０は、録画コンテンツの消去判定処理の流れを示すフローチャート図である。図１０に示すように、まず処理が開始され（ステップＳ６１）、ステップＳ６２において、消去処理された録画コンテンツで録画データが継続して保存されているものであるか否かを判定する。ＮＯの場合には、ステップＳ６８で処理を終了する。ＹＥＳの場合には、ステップＳ６３において、保存されている録画コンテンツデータから消去候補を設定する。次いで、ステップＳ６４において、消去候補の録画データの録画日時と現在日時とからの経過時間を算出する。次いで、ステップＳ６５において、経過時間と設定値とを比較する。経過時間の方が設定値よりも長い場合には（ＹＥＳ）、ステップＳ６６において、消去候補の録画データを消去し、ステップＳ６７に進む。ステップＳ６５において、経過時間と設定値とを比較し、経過時間の方が設定値よりも短いか等しい場合には（ＮＯ）、ステップＳ６６をスキップし、ステップＳ６７に進む。ステップＳ６７においては、全ての保存されている録画コンテンツデータを消去候補として設定済みか否かを判定する。ＮＯの場合には、設定済みでないためステップＳ６３に戻って設定を行う。ＹＥＳの場合には、ステップＳ６８で処理が終了する。
【００８６】
このように、録画コンテンツの録画日時情報と現在の日時を比較して、規定時間以上経過していれば、該当の放送回の録画コンテンツに対応する録画データを実際に消去する。例えば、録画日時より６ヶ月以上経過しているなど十分な保存期間が経過した録画コンテンツは、その録画データを消去するなどである。すなわち、録画日時が古いコンテンツほど、ユーザーが再視聴を希望する可能性は比較的低いとも考えられる。再視聴の可能性が低くなった録画コンテンツを消去することで、今後不必要と推定される録画コンテンツが確保していた録画領域を開放して、録画再生装置の空き録画容量を増やすことができる。
【００８７】
２）「ユーザー操作により消去処理された放送回の録画コンテンツの録画日時からの経過時間」を基に、消去するかどうか判定する方法（２）
或いは、「ユーザー操作により消去処理された放送回の録画コンテンツの実際の録画日時および放送日時（本来録画したと推定される録画日時）からの経過時間」を基に、消去するかどうか判定することも可能である。すなわち、録画コンテンツが実際に録画された録画日時情報ではなく、録画コンテンツがこれまで複数回放送されている場合に、このコンテンツの放送日時情報も加味した上で現在の日時を比較して、規定時間以上経過していれば、該当の放送回の録画コンテンツに対応する録画データを実際に消去する方法を用いることもできる。
【００８８】
次に、ＴＶ放送では、当初は地上デジタル放送で放送したコンテンツを再放送する際に、同じ地上デジタル放送局からの放送、系列のＢＳデジタル放送局からの放送、ジャンル専門チャンネルを持つＣＳ放送局、地方ローカル局にて放送するなど、同一コンテンツが放送日時や放送形態を変えて放送されることがある。
【００８９】
このような放送コンテンツを、ユーザーが連続番組や帯番組として録画する際に、必ずしも時系列的に録画しない場合がある。例えば、この録画したい連続番組や帯番組が本放送（初回放送）されており、一部放送回コンテンツを録画しようとした際に、ユーザーが単に録画するのを忘れた場合や、何らかの原因により録画できなかった場合、この一部放送回コンテンツを再放送（更には再々放送）、または、他局から異なる日時に放送されている同一コンテンツを録画する場合もある。このような、異なる放送形態が混在されて録画した場合には、実際には連続番組や帯番組であるにも関わらず、予約録画設定情報を基に連続番組や帯番組かどうか判定すると、連続番組や帯番組ではないとの判定結果になる可能性が高い。
【００９０】
このような場合にも、録画コンテンツのタイトル情報を基に判定を行うことが有用である。さらに、この判定の際には、単にコンテンツに含まれるタイトル情報だけではなく、このコンテンツ関連サーバーなどからネットワークを介して追加情報を入手しても良く、同じ系列局から放送されたコンテンツかどうかの情報も判定材料とすることにより、連続番組や帯番組かどうかの判定精度を上げることができる。
【００９１】
上記のように、連続番組や帯番組の一部が再放送から録画された場合、連続番組や帯番組の判定を行うと共に、本来録画されたと思われる放送日時を推定して、この推定された放送日時を本来の録画日時と仮設定した上で、仮設定された録画日時情報と現在の日時を比較して、規定時間以上経過していれば、該当の放送回の録画コンテンツに対応する録画データを実際に消去する。
【００９２】
図１１は、上記のような、録画コンテンツの消去判定処理の流れを示すフローチャート図である。図１１に示すように、ステップＳ７１において処理を開始し（開始）、ステップＳ７２において、消去処理された録画コンテンツで、録画データが継続保存されているものがあるか否かを判定する。ここで、ＮＯの場合には、ステップＳ８０において処理を終了する。ＹＥＳの場合には、ステップＳ７３において、保存されている録画データから消去候補を設定する。次いで、ステップＳ７４において、消去処理された録画コンテンツは、本放送日時に録画設定されているか否かを判定する。ＮＯの場合には、ステップＳ７５に進み、消去候補の録画データの本放送日時を録画日時として仮設定し、ステップＳ７６に進む。ＹＥＳの場合には、ステップＳ７５をスキップしてステップＳ７６に進む。ステップＳ７６において、消去候補の録画データの録画日時から経過時間を算出する。ステップＳ７７において、経過時間と設定値との大小関係を判定し、ステップＳ７９に進む。経過時間が設定値よりも大きい場合には（ＹＥＳ）、ステップＳ７８に進み、消去候補の録画データを消去する。ＮＯの場合には、ステップＳ７８をスキップしてステップＳ７９に進む。
【００９３】
ステップＳ７９において、全ての保存されている録画データを消去候補として設定済みか判定する。ＹＥＳの場合にはステップＳ８０に進む処理を終了し、ＮＯの場合には、ステップＳ７３に戻る。このように、ステップＳ７４において、消去処理された録画コンテンツは、本放送日時に録画設定されているか否かを判定する処理を行うことで、録画コンテンツがこれまで複数回放送されている場合に、このコンテンツの放送日時情報も加味した処理が可能となる。
【００９４】
尚、上記図１１では、「放送日時（本来録画したと推定される録画日時）」のことを、「本放送」として記載している。図１１は、連続番組や帯番組を録画する際に、本来は本放送（初回放送）ですべての放送回コンテンツを録画するはずであったが、少なくとも、後にユーザー操作により消去処理された放送回の録画コンテンツが、本放送ではなく再放送にて録画された場合の判定フロー例である。
【００９５】
図１２は、連続番組や帯番組の録画コンテンツの録画の様子を示す図である。例えば、この一連の録画コンテンツが帯番組であり、第９回および第１１回放送分が、それぞれ本放送１４１ａの６／１および６／３に録画され（１４３ａ、１４７ａ）、第１０回放送が本放送の６／２の放送１４５ｂではなく、再放送日１４１ｂの６／９の放送１５３ｂに録画された場合で、この第１０回放送分が、ユーザー操作により消去処理された場合、この第１０回放送分の録画コンテンツに対応する録画データを実際に消去するかどうかの判定は、実際の録画日の６／９ではなく、本放送の６／２に録画されたもの（１４５ｂ）と仮設定して、６／２からの経過時間を基に、ユーザー操作により消去処理された放送回の録画コンテンツ（１４３ｃ、１４５ｃ、１４７ｃとして）を消去するかどうかの判定を行う。
【００９６】
ここで、この一連の録画コンテンツが、例えば、毎週同一曜日に放送されている連続番組である場合には、第１０回放送分の録画された日付を、第９回および第１１回放送の間にある同一曜日と仮設定した上で、同様に判定を行えば良い。
【００９７】
尚、図１１の判定フローにおいては、本放送と再放送を基に説明を行ったが、これに限定するものではない。例えば、連続番組や帯番組を録画する際に、主に録画された放送が再放送であれば、ユーザー操作により消去処理された放送回の録画コンテンツが再々放送によるものでも、逆に本放送によるものでも包含される。さらに、本放送ではあるが、異なる放送局から放送された同一コンテンツを録画した場合でも良い。
【００９８】
以上のように、連続番組や帯番組など一連のコンテンツを録画した際に、その一部が放送形態の異なる方法により録画された場合、例えば、一部が再放送において録画された場合に、その異なる録画日時に録画された放送回コンテンツを他の放送回コンテンツより長時間保存したり、逆に早期に消去したりすることも考えにくい。このような場合に、本来、録画されたと推定される録画日時からの経過時間を基に、実際に録画データの消去を行うかどうかの判定を行うことにより、連続番組や帯番組などの一連の録画コンテンツとして録画日時が古いコンテンツはユーザーが再視聴を希望する可能性は比較的低いとも推定して、再視聴の可能性が低くなった録画コンテンツを消去する。これにより、今後不必要と推定される録画コンテンツが確保していた録画領域を開放して、録画再生装置の空き録画容量を増やすことができるという利点がある。
【００９９】
３）「ユーザー操作により消去処理された放送回の録画コンテンツの最終視聴日時からの経過時間」を基に、消去するかどうか判定する方法
ユーザーによっては、録画コンテンツの放送日時（録画日時）ではなく、録画コンテンツの視聴時からの経過時間により、その録画コンテンツが今後必要であるかどうかを決定することも考えられる。例えば、ユーザーが、ＴＶ番組をリアルタイムでは視聴せず、色々なＴＶ番組を予約録画により溜め撮りした後に、予約録画した録画コンテンツを後日の空いた時間に視聴する使用方法も考えられる。このような場合は、上記のような放送回の録画コンテンツの「録画日時からの経過時間」ではなく、「最終視聴日時からの経過時間」を基にして判定を行い、規定時間以上経過していれば、該当の放送回の録画コンテンツに対応する録画データを実際に消去する。
【０１００】
例えば、最終視聴日時より３ヶ月以上経過している録画コンテンツは、その録画データを消去する。また、最終視聴日時などの視聴履歴情報の保存場所としては、制御部の内部メモリや、制御部から参照可能な外部メモリを用いることもできる。
【０１０１】
上記の方法によれば、ユーザーの視聴スタイルに合わせて、ユーザーが再視聴を希望する可能性が低くなった録画コンテンツの実体データを消去する事で、今後不必要と推定される録画コンテンツが確保していた録画領域を開放して、録画再生装置の空き録画容量を増やすことができる。
【０１０２】
４）「ユーザー操作により消去処理された放送回の録画コンテンツの視聴回数」を基に、消去するかどうか判定する方法
ユーザー操作により消去処理された放送回の録画コンテンツが、録画されてから現在までの期間でのユーザーによる視聴回数を基に、消去するかどうか判定を行っても良い。視聴回数が多い場合は、この放送回の録画コンテンツがユーザーの好みに合致しており、今後も再視聴される可能性が多いとも推定される。
【０１０３】
例えば、「放送回の録画コンテンツの視聴回数」を基にして判定を行い、規定回数以上視聴している場合には、該当の放送回の録画コンテンツに対応する録画データを消去せずこのまま保存しておいても良いし、または、上記のような「録画日時からの経過時間」、「最終視聴日時からの経過時間」を基にした判定において、判定のための規定時間を長い時間に設定しても良い。
【０１０４】
例えば、ユーザーによる視聴回数が３回以上であった場合には、ユーザーが今後も繰り返し視聴する可能性があるとも推定され、このような場合には、上記１）や２）における例における規定基準（設定値）を「放送日時からの経過時間」や「最終視聴日時」から経過時間３ヶ月ではなく、より長期間の例えば６ヶ月に変更した上で、ユーザー操作により消去処理された放送回の録画コンテンツを消去するかどうか判定するようにしても良い。視聴回数によるしきい値は、設定可能なものとしても良く、或いは、ユーザーの傾向により変更して自動設定されるようにしても良い。
【０１０５】
図１３は、このように、「ユーザー操作により消去処理された放送回の録画コンテンツの視聴回数」を基に、消去するかどうか判定する方法の処理の流れを示すフローチャート図である。ステップＳ８１において処理を開始し、ステップＳ８２において、消去処理された録画コンテンツで録画データが継続して保存されているものがあるか否かを判定する。ステップＳ８２においてＮＯであれば、ステップＳ９２に進み処理を終了する。ステップＳ８２においてＹＥＳであれば、ステップＳ８３に進み、保存されている録画データから消去候補を設定する。ステップＳ８４において、消去領域の録画コンテンツの視聴回数情報を読み込む。ステップＳ８５において、視聴回数と設定値Ａを比較し、視聴回数が設定値Ａよりも大きい場合には（ＹＥＳ）、ステップＳ８６に進み、経過時間比較の設定値Ｂを設定値Ｂ１とする。視聴回数が設定値Ａよりも小さいか等しい場合には（ＮＯ）、ステップＳ８７に進み、経過時間比較の設定値Ｂを「設定値Ｂ２」とする。但し、Ｂ１＞Ｂ２である。いずれの場合にも、ステップＳ８８に進み、消去候補の録画データの録画日時からの経過時間を算出する。次いで、ステップＳ８９において、経過時間と設定値Ｂとを比較する。経過時間と設定値Ｂとの比較の結果、経過時間が設定値Ｂよりも大きければ（ＹＥＳ）、ステップＳ９０に進み、消去領域の録画データを消去し、ステップＳ９１に進む。ステップＳ８９で、経過時間と設定値Ｂとの比較の結果、経過時間が設定値Ｂよりも小さいか等しい場合には（ＮＯ）、ステップＳ９０をスキップしてステップＳ９１に進む。ステップＳ９１においては、全ての保存されている録画データを消去候補として設定済みか否かを判定し、ＮＯの場合にはステップＳ８３に戻る。ＹＥＳの場合には、ステップＳ９１に進み処理を終了する。
【０１０６】
この例によれば、ユーザーの視聴履歴に考慮して、ユーザーが再視聴する可能性のある録画コンテンツを長期間残すように制御して、録画された実体データをすぐには消去しないで一定期間保存しておくことで、不用意に消去操作されたコンテンツについて、ユーザーが該当の録画コンテンツを再視聴する機会を残すことができる。
【０１０７】
５）「ユーザー操作により消去処理された放送回の録画コンテンツの前後の放送回の視聴回数」を基に、消去するかどうか判定する方法
ユーザー操作により消去処理された放送回の録画コンテンツ自体ではなく、その前後の放送回の録画コンテンツに関して、録画されてから現在までの期間でのユーザーによる視聴回数を基に、消去するかどうか判定を行っても良い。
【０１０８】
ユーザーが連続番組や帯番組を視聴する際に、放送回順（録画された順）に視聴するとは限らず、例えば、前後の放送回の録画コンテンツの視聴回数が０回、つまり、未視聴である場合は、ユーザーが前後の放送回の録画コンテンツを視聴した後に、該当のユーザー操作により消去処理された放送回の録画コンテンツとの内容の連続性・関連性の確認のために、消去処理された放送回の録画コンテンツを再視聴する可能性があると推定できる。
【０１０９】
このような場合には、前後の放送回の視聴回数の少ない事を基に、消去処理された放送回の録画コンテンツを消去するかどうか判定するようにしても良い。図１４は、このような録画コンテンツの消去判定処理の流れを示すフローチャート図である。図１４に示すように、処理が開始され（ステップＳ１０１：開始）、ステップＳ１０２において、消去処理された録画コンテンツで録画データが継続して保存されているものがあるか否かを判定する。ＮＯの場合には、ステップＳ１０８に進み、この処理を終了する。ＹＥＳであれば、ステップＳ１０３において、保存されている録画データから消去候補を決定する。ステップＳ１０４において、消去候補の録画コンテンツの前後放送回分の録画コンテンツの視聴回数情報を読み込む。次いで、ステップＳ１０５において、少なくとも、前後放送回分のいずれかの録画コンテンツは未視聴であるかを判断する。ＮＯの場合には、ステップＳ１０６において消去候補の録画データの消去を行い、ステップＳ１０７に進む。ＹＥＳの場合には、ステップＳ１０６をスキップしてステップＳ１０７に進む。ステップＳ１０７において、すべてｎ保存されている録画データを消去候補として設定済みか判定する。ＮＯの場合には、ステップＳ１０３に戻り、ＹＥＳの場合にはステップＳ１０８で処理を終了する。
【０１１０】
なお、図１４の判定フロー例を含めて、前後の放送回とは、ユーザー操作により消去処理された放送回の直前の放送回および直後の放送回として説明を行ったが、これに限定するものではない。例えば、前々回から次々回の視聴回数を基に消去するかどうか判定を行っても良い。あるユーザーの視聴の特徴として連続した複数回を繰り返し再視聴する場合や、録画再生装置が複数ユーザーで使用されており、かつ、このユーザー間で各放送回の視聴のタイミングが異なる場合や、その他、例えば、同一テーマの放送内容が複数回に分割して放送されたなど録画コンテンツ間の内容の連続性・関連性の特性がある場合においては、直前の放送回および直後の放送回だけの視聴回数だけではなく、更に前後の放送回の視聴回数も含めて判定することで、ユーザーの再視聴の可能性のある録画コンテンツを継続保存しておくかどうかをより正確に推定することができ、しいては、ユーザーの再視聴の可能性を効果的に確保することができる。
【０１１１】
また、上記例においては、判定の基準として未視聴であることを例にとり説明を行ったが、もちろん、これに限定するものではなく、前後の放送回の録画コンテンツの視聴回数が少ないことを基に判定を行っても良い。特に、ユーザー操作により消去処理された放送回の録画コンテンツの視聴回数と比較して、前後の放送回の録画コンテンツの視聴回数が極めて少ない場合には、あるユーザーＡにより前後の放送回の録画コンテンツは視聴されたが、別のユーザーＢは未視聴である可能性もあり、この別のユーザーＢが前後の放送回の録画コンテンツを視聴した後に、ユーザー操作により消去処理された放送回の録画コンテンツとの内容の連続性・関連性の確認のために、消去処理された放送回の録画コンテンツを再視聴する可能性があると推定できる。
【０１１２】
このような場合、消去処理された放送回の録画コンテンツを残すようにしても良い。ここで、上記ユーザー操作による消去処理を行ったユーザーは、直近の主要な機器使用者である上記のあるユーザーＡである可能性が高いとも推定されるが、特に消去操作したユーザーをユーザーＡに限定するものではなく、ユーザーＡはもちろん、上記ユーザーＢを含めた別ユーザーであっても良い。
【０１１３】
また、前後の放送回の両方の視聴回数を基に判定を行うことには限定しない。前後の放送回のどちらか一方の録画コンテンツの視聴回数情報を基に、例えば、ユーザー操作により消去処理された放送回の録画コンテンツの次放送回の録画コンテンツの視聴回数のみを基に、判定するようにしても良い。
【０１１４】
上記の処理によれば、ユーザーの視聴履歴、特に、前後の放送回の録画コンテンツの視聴履歴が少ない事に考慮して、ユーザーが再視聴する可能性のある放送回の録画コンテンツを長期間残すように制御して、不用意に録画された実体データをすぐには消去しないで保存しておくことで、ユーザーが該当の放送回の録画コンテンツを再視聴する機会を残すことができる。
【０１１５】
尚、もちろん、上記１）〜５）までは、ユーザー操作により消去処理された放送回の録画コンテンツを一旦保存した後に、実際に録画データとして消去するかどうかの判定方法として、それぞれ単独ではなく組み合わせて適用しても良い。例えば、録画再生装置のユーザーの使用状況に合わせて、判定基準の組み合わせを変えて判定することで、ユーザーの使用方法に沿ったより適切と考えられる方法を基に判定して、ユーザーの再視聴の可能性のある録画コンテンツを保存しておくことができる。
【０１１６】
次に、番組ジャンルに依存するコンテンツの保存方法の変更について説明する。予約録画したＴＶ放送の連続番組や帯番組のジャンルが、ドラマなど放送回毎の番組内容に連続性や関連性が高いものではない場合、例えば、ニュース、報道番組、天気予報、スポーツ、情報／ワイドショーなど放送回毎の番組内容に関連性の低い番組ジャンルである場合には、ユーザーによる消去操作が行われた後に、その放送回の録画コンテンツが再視聴される可能性が低いと考えられる。このような場合は、上記のように録画された実体データをすぐには消去しないで一定期間保存しないようにしても良いし、または、保存期間を比較的短くするなど番組ジャンル毎に保存期間を設定するようにしても良い。また、記憶容量を監視する記憶容量監視部２７ａによる記憶容量の残容量も考慮して、残容量が多ければ保存期間を長めにし、残容量が少なくなると保存期間を短めにするなどの制御を行っても良い（この制御は、他の場合にも有効である）。
【０１１７】
図１５は、図１０に関連する判定処理であり、上記のように、番組のジャンルにより、保存の基準を変更する例を示すフローチャート図である。図１５に示すように、符号２００は、規格で決まっている番組のジャンルの大分類を示すものである。このようなジャンルを踏まえて以下の処理について説明する。
【０１１８】
処理が開始され（ステップＳ１１１）、ステップＳ１１２において、消去処理された録画コンテンツで録画データが継続して保存されているものかどうかを判定する。ＮＯの場合には、ステップＳ１２４に進み、処理を終了する。ＹＥＳの場合には、ステップＳ１１３に進み、保存されている録画データから消去候補を設定する。ステップＳ１１４において、消去候補の録画データの録画日時から経過時間を算出する。ステップＳ１１５において、消去候補の番組ジャンルを番組情報から判定する。判定結果が、ジャンル３．ドラマの場合には、ステップＳ１１６に進み、経過時間比較の設定値Ｃを、設定値Ｃ１とする。判定結果が、ジャンル５．バラエティの場合には、ステップＳ１１７に進み、経過時間比較の設定値Ｃを、設定値Ｃ２とする。判定結果が、ジャンル６．映画の場合には、ステップＳ１１８に進み、経過時間比較の設定値Ｃを、設定値Ｃ３とする。判定結果が、ジャンル７．アニメ／特撮の場合には、ステップＳ１１９に進み、経過時間比較の設定値Ｃを、設定値Ｃ４とする。判定結果がそれ以外のジャンルである場合には、ステップＳ１２０に進み、経過時間比較の設定値Ｃを、設定値Ｃ５とする。
【０１１９】
次いで、ステップＳ１２１において、経過時間と設定値Ｃとを比較する。経過時間が設定値よりも大きい場合には（ＹＥＳ）ステップＳ１２２に進み、消去候補の録画データを消去し、次いで、ステップＳ１２３に進む。ＮＯの場合には、ステップＳ１２２をスキップしてステップＳ１２３に進む。ステップＳ１２３において、全ての保存されている録画データを消去候補として設定済みか否かを判定する。ＮＯの場合には、ステップＳ１１３に戻り、ＹＥＳの場合にはステップＳ１２４で処理を終了する。尚、図１５では、関連性判定処理の部分は、記載していないが、上記の関連性判定処理を用いることができる。
【０１２０】
番組ジャンルがバラエティの場合も、放送回毎の番組内容に関連性の低いとも考えられるが、複数放送回に分けて放送されている場合もあるため、図４に示すようなタイトル情報を基にした連続性・関連性の有無の判定を行った上で、関連性が低いと判定された場合には、録画された実体データをすぐには消去しないで一定期間保存しない処理、保存期間を比較的短くするような処理を行いようにしても良い。
【０１２１】
ジャンル情報は、デジタル放送局などから送信される情報を基に自動的に設定されるものでも良い。ジャンル情報が格納されている領域としては、録画コンテンツが日本のデジタル放送である場合には、放送データに含まれているＡＲＩＢ規格で規定のＳＩ（番組配列情報）にあるＥＩＴ（イベント情報テーブル）、各種方法で配信される電子番組表やメタデータ情報などが考えられる。また、アナログ方法など放送局から情報が送信されない場合や、ユーザーが個別にジャンル分別したい場合にユーザーにより設定されたものでも良い。
【０１２２】
上記の実施例では、番組ジャンルにより、消去操作後も一定期間保存するかどうか、保存期間の設定をどうするかの判定を行うことで、ユーザーによる再視聴の可能性の低いコンテンツを不用意に保存することなく、録画再生装置の録画容量を無駄に消費することを回避できる。
【０１２３】
尚、録画再生装置には、毎日・毎週予約の予約録画設定において、録画コンテンツを消さずに追加録画していくような一般的な予約録画設定の他に、古い番組コンテンツを消去して新しい番組コンテンツを上書き録画する設定機能を持つものがあるが、この予約録画設定においても、上書き録画する際に上書きされて消去されるコンテンツが消去候補となるので、同様の考え方をすることができる。
【０１２４】
尚、上記実施の形態においては、デジタルＴＶ放送の連続番組や帯番組の録画コンテンツを例にして説明を行ってきたが、コンテンツの対象は、もちろんＴＶ番組の録画コンテンツに限定されるものではなく、インターネット回線などのネットワークを介して接続可能な配信サーバーから配信される一連の配信コンテンツをダウンロードの上、録画された録画コンテンツに関しても、実施可能である。
【０１２５】
また、上記ＴＶ番組での説明では、番組表などから入手した録画コンテンツのタイトル情報を基に判定を行っていたが、配信コンテンツの場合は、配信コンテンツ自体に含まれる情報でも良いし、別途、配信サーバーから入手可能な配信コンテンツの関連情報内に含まれる情報でも良い。
【０１２６】
また、配信コンテンツでは、期間限定で配信されているものもあり、このような期間限定コンテンツを録画対象とする場合には、上記ＴＶ放送での説明における本放送、再放送、再々放送などの箇所を初回配信時、再配信時、再々配信時と読み替えるこがとで、本発明を同様に実施することが可能である。
【０１２７】
以上に説明したように、本発明の実施の形態によれば、連続番組を予約録画している録画再生装置において、ユーザー操作により、連続番組のある放送回の録画コンテンツが消去されても、録画された実体データをすぐには消去しないで一定期間保存しておくことにより、後日、ユーザーが後続放送回の録画コンテンツとの関連を確認したいと思った際にも、一旦消去操作してしまった連続番組の放送回の録画コンテンツを視聴して、内容を確認することができる。
【０１２８】
加えて、録画タイトルリストからは当該コンテンツを見えなくすることにより、多数の録画タイトルがある場合に、不必要な録画タイトルとして表示することなく、ユーザーが希望する録画タイトルの検索も容易に行うことができる。
【０１２９】
さらに、消去操作を行ったコンテンツに関しては、連続性・関連性を有するコンテンツのメニューからは再生可能なコンテンツとして表示させ、再生可能とすることで、消去処理を行ったコンテンツであっても、他のコンテンツと関連性がある場合には、他のコンテンツと関連をもたせる形で再生することができるため、ユーザーの操作性を向上させることができる。
【０１３０】
本発明による装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１３１】
また、図１等の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１３２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３３】
以上、この発明の実施形態を図面を参照して詳述してきたが、具体的な構成はこの実施の形態に限られるものではなく、この発明の要旨を逸脱しない範囲の設計変更等された発明も含まれる。
【産業上の利用可能性】
【０１３４】
本発明は、コンテンツの録画再生装置に利用可能である。
【符号の説明】
【０１３５】
Ａ…録画再生装置、１…チューナ部、３…受信処理部、５…コンテンツ再生処理部、７…再生出力部、１１…制御部、１５…視聴履歴情報管理部、１７…消去情報管理部、２１…予約情報管理部、２３…操作受付部、２５…録画リスト表示処理部、２７…データ記録／消去処理部、３１…記録媒体（ＨＤＤ）、３３…外部ＩＦ部、３５…リモコン装置、３７…ＴＶモニター（表示部）。
【図１】
2011082777.tif 000003
【図２】
2011082777.tif 000004
【図３】
2011082777.tif 000005
【図４】
2011082777.tif 000006
【図５】
2011082777.tif 000007
【図６】
2011082777.tif 000008
【図７】
2011082777.tif 000009
【図８】
2011082777.tif 000010
【図９】
2011082777.tif 000011
【図１０】
2011082777.tif 000012
【図１１】
2011082777.tif 000013
【図１２】
2011082777.tif 000014
【図１３】
2011082777.tif 000015
【図１４】
2011082777.tif 000016
【図１５】
2011082777.tif 000017